(57)【要約】【課題】モバイル端末にて電子透かし付き帳票を作成可能とするとともに、既存の帳票が改ざんされていないことをモバイル端末にて照合可能とするシステムを提供する。【解決手段】システムのサーバは、帳票テンプレート識別情報と帳票テンプレートデータとを予め登録し、モバイル端末から入力データ及び帳票テンプレート識別情報を受信して新たな帳票ＩＤを発行し、新たな帳票ＩＤを帳票テンプレートデータ及び入力データと対応付けて格納し、新たな帳票ＩＤ及び帳票テンプレートデータをモバイル端末に送信し、モバイル端末は、入力データ及び帳票テンプレートグループ名をサーバに送信し、新たな帳票ＩＤ及び帳票テンプレートデータをサーバから受信して帳票データを作成し、新たな帳票ＩＤを電子透かしとして埋め込み電子透かし付き帳票画像を作成する。【選択図】図１
2013201485.tif 000002
【特許請求の範囲】
【請求項１】
モバイル端末と、ネットワークにより前記モバイル端末と接続可能なサーバとを備え、モバイル端末にて電子透かし付き帳票画像を作成するシステムであって、
前記サーバは、
（Ａ１）帳票テンプレート識別情報と帳票テンプレートデータとを対応付けて予めデータベースに登録する手段と、
（Ａ２）前記モバイル端末から帳票画像作成用の入力データ及び前記帳票テンプレート識別情報を受信したとき、前記帳票テンプレート識別情報に基づいて前記データベースから対応する前記帳票テンプレートデータを取得するとともに新たな帳票ＩＤを発行する手段と、
（Ａ３）前記新たな帳票ＩＤを、取得した前記帳票テンプレートデータ及び前記入力データと対応付けて前記データベースに格納する手段と、
（Ａ４）前記新たな帳票ＩＤ及び取得した前記帳票テンプレートデータを前記モバイル端末に送信する手段と、を有し、
前記モバイル端末は、
（Ｂ１）帳票画像作成用の前記入力データ及び前記帳票テンプレート識別情報を前記サーバに送信する手段と、
（Ｂ２）前記新たな帳票ＩＤ及び前記帳票テンプレートデータを前記サーバから受信する手段と、
（Ｂ３）受信した前記帳票テンプレートデータに前記入力データを合成しかつ前記新たな帳票ＩＤを電子透かしとして埋め込み、画像データに変換して電子透かし付き帳票画像を作成する手段と、を有することを特徴とする
モバイル端末にて電子透かし付き帳票画像を作成するシステム。
【請求項２】
カメラを備えた前記モバイル端末は、
（Ｂ４）前記カメラにて帳票を撮影して取得した帳票画像から電子透かしとして埋め込まれた照合用の帳票ＩＤを取得し、取得した前記照合用の帳票ＩＤを前記サーバに送信する手段を有し、
前記サーバは、
（Ａ５）前記モバイル端末から前記照合用の帳票ＩＤを受信したとき、前記照合用の帳票ＩＤに基づいて前記データベースから対応する前記帳票テンプレートデータ及び前記入力データを取得する手段と、
（Ａ６）取得した前記帳票テンプレートデータ及び前記入力データを前記モバイル端末に送信する手段と、を有し、
前記モバイル端末はさらに、
（Ｂ５）受信した前記帳票テンプレートデータ及び前記入力データを合成しかつ前記照合用の帳票ＩＤを電子透かしとして埋め込み、画像データに変換して照合用の電子透かし付き帳票画像を作成する手段と、を有することを特徴とする
請求項１に記載のモバイル端末にて電子透かし付き帳票画像を作成するシステム。
【発明の詳細な説明】
【技術分野】
【０００１】
本発明は、住宅設備事業やガス事業などの点検保守作業員あるいは銀行・信託業や保険業などの営業員等が、点検場所や営業先にて、点検結果の報告書や見積書・領収書などの帳票の作成と照合をその場で行うために、モバイル端末にて電子透かし付き帳票画像を作成するシステムに関する。
【背景技術】
【０００２】
従来、電子透かしを紙媒体に埋め込む場合、ＰＣや専用の機器を用いて画像に電子透かしの埋め込みを行っている。電子透かしとして埋め込まれるデータは、広告用のＵＲＬであったり、セキュリティー保護のために利用される固有のＩＤであったり、使用方法は多岐に渡っている。電子透かしとして埋め込まれた電子透かし情報の検出は、埋め込み時に使用したＰＣ等で行う他に、モバイル端末のカメラ機能を使用してモバイル端末にて電子透かしを取得して行う場合がある。
なお、本発明に関連する公知技術としては、特許文献１に開示されたものがある。
【先行技術文献】
【特許文献】
【０００３】
【特許文献１】特開２０１０−２７２９２０号公報
【発明の概要】
【発明が解決しようとする課題】
【０００４】
しかし、従来技術の場合、モバイル端末で作成した帳票にその場ですぐに電子透かしを埋め込むことができない。すなわち、その場でモバイル端末にて電子透かし付き帳票画像を作成することができない。そのため、帳票作成者が顧客の目の前で帳票を作成したとしても、その後、電子透かしが埋め込まれた帳票が改ざんされていないことを証明できない。
本発明は、モバイル端末により電子透かし付き帳票を作成可能とするとともに、既存の帳票が改ざんされていないことをモバイル端末にて照合可能とするシステムを提供することを目的とする。
【課題を解決するための手段】
【０００５】
上記の目的を達成するべく、本発明は以下の構成を提供する。
本発明の一態様は、モバイル端末と、ネットワークにより前記モバイル端末と接続可能なサーバとを備え、モバイル端末にて電子透かし付き帳票画像を作成するシステムであって、
前記サーバは、
（Ａ１）帳票テンプレート識別情報と帳票テンプレートデータとを対応付けて予めデータベースに登録する手段と、
（Ａ２）前記モバイル端末から帳票画像作成用の入力データ及び前記帳票テンプレート識別情報を受信したとき、前記帳票テンプレート識別情報に基づいて前記データベースから対応する前記帳票テンプレートデータを取得するとともに新たな帳票ＩＤを発行する手段と、
（Ａ３）前記新たな帳票ＩＤを、取得した前記帳票テンプレートデータ及び前記入力データと対応付けて前記データベースに格納する手段と、
（Ａ４）前記新たな帳票ＩＤ及び取得した前記帳票テンプレートデータを前記モバイル端末に送信する手段と、を有し、
前記モバイル端末は、
（Ｂ１）帳票画像作成用の前記入力データ及び前記帳票テンプレート識別情報を前記サーバに送信する手段と、
（Ｂ２）前記新たな帳票ＩＤ及び前記帳票テンプレートデータを前記サーバから受信する手段と、
（Ｂ３）受信した前記帳票テンプレートデータに前記入力データを合成しかつ前記新たな帳票ＩＤを電子透かしとして埋め込み、画像データに変換して電子透かし付き帳票画像を作成する手段と、を有することを特徴とする。
【０００６】
上記態様において、カメラを備えた前記モバイル端末は、
（Ｂ４）前記カメラにて帳票を撮影して取得した帳票画像から電子透かしとして埋め込まれた照合用の帳票ＩＤを取得し、取得した前記照合用の帳票ＩＤを前記サーバに送信する手段を有し、
前記サーバは、
（Ａ５）前記モバイル端末から前記照合用の帳票ＩＤを受信したとき、前記照合用の帳票ＩＤに基づいて前記データベースから対応する前記帳票テンプレートデータ及び前記入力データを取得する手段と、
（Ａ６）取得した前記帳票テンプレートデータ及び前記入力データを前記モバイル端末に送信する手段と、を有し、
前記モバイル端末はさらに、
（Ｂ５）受信した前記帳票テンプレートデータ及び前記入力データを合成しかつ前記照合用の帳票ＩＤを電子透かしとして埋め込み、画像データに変換して照合用の電子透かし付き帳票画像を作成する手段と、を有することが、好適である。
【発明の効果】
【０００７】
本発明によれば、外出先等でモバイル端末の利用者が帳票を作成した場合に、その場で電子透かし付き帳票画像を作成できる。よって、その場で電子透かし付き帳票を紙媒体等に印刷できるので、その帳票の改ざんを抑止することが可能となる。
また、既存の帳票が改ざんされているか否かを、外出先のモバイル端末でその既存の帳票から電子透かしを取得して照合用の電子透かし付き帳票画像を作成することにより、確認することができる。
本システムは、これらのことを、外出先等でパーソナルコンピュータや専用装置を用いることなく実現できる。
【図面の簡単な説明】
【０００８】
【図１】図１は、本発明を適用した、モバイル端末にて電子透かしを埋め込むシステムの実施形態の一例を示すシステム構成図である。
【図２】図２は、サーバの帳票テンプレート/帳票情報管理ＤＢが保有する帳票テンプレートグループ管理テーブルの一例を示す構成図である。
【図３】図３は、サーバの帳票テンプレート/帳票情報管理ＤＢが保有する帳票テンプレートグループと帳票ＩＤの対応表の一例を示す構成図である。
【図４】図４は、サーバの帳票テンプレート/帳票情報管理ＤＢが保有する帳票テンプレート管理テーブルの一例を示す構成図である。
【図５】図５は、サーバの帳票テンプレート/帳票情報管理ＤＢが保有する帳票データ管理テーブルの一例を示す構成図である。
【図６】図６は、新規帳票画像作成処理の一例を示すフローチャートである。
【図７】図７は、新規帳票画像作成処理の一例を示すシーケンス図である。
【図８】図８は、照合用帳票画像作成処理の一例を示すフローチャートである。
【図９】図９は、照合用帳票画像作成処理の一例を示すシーケンス図である。
【発明を実施するための形態】
【０００９】
以下、本発明を適用した実施形態の一例を示した図面を参照して、本発明を適用した、モバイル端末にて電子透かしを埋め込むシステムについて説明する。
【００１０】
図１は、本発明を適用した、モバイル端末にて電子透かしを埋め込むシステムの実施形態の一例を示すシステム構成図である。図１に示すシステムは、モバイル端末１０１と、ネットワーク１０４を介してモバイル端末１０１と接続可能なサーバ１０２とを備えている。
【００１１】
以下の説明において、「電子透かし」、「入力データ」、「帳票テンプレートデータ」、「帳票データ」、「電子透かし付き帳票データ」、「電子透かし付き帳票画像」はいずれも電子データである。
「帳票データ」は、帳票テンプレートデータと入力データを合成して作成したものである。
「電子透かし付き帳票データ」は、帳票データに電子透かしを合成した（埋め込んだ）ものである。電子透かし付き帳票データは、バイナリデータである。
「電子透かし付き帳票画像（単に「帳票画像」と称する場合がある）」は、電子透かし付き帳票データを画像処理して作成した画像データである。
「電子透かし付き帳票（単に「帳票」と称する場合がある）」は、電子透かし付き帳票画像を紙媒体等に印刷出力したものである。
なお、電子透かし付き帳票をカメラで撮影して取得した画像データも、「電子透かし付き帳票画像（単に「帳票画像」と称する場合がある）」と称する。
【００１２】
サーバ１０２は、帳票テンプレートデータと帳票情報とを格納する帳票テンプレート/帳票情報管理データベース(ＤＢ)１０３を備えている。サーバ１０２は、適宜のコンピュータにより実施可能であり、コンピュータに搭載されたＣＰＵが所定のプログラムを読み込み実行することにより、サーバ１０２の各処理機能を実現する。サーバ１０２は、帳票テンプレート/帳票情報管理ＤＢ１０３を管理する機能と、モバイル端末１０１からの要求を受信して要求されたデータをモバイル端末１０１へ送信する機能とを有する。
【００１３】
サーバ１０２の帳票テンプレート/帳票情報管理ＤＢ１０３に格納された帳票テンプレートデータは、モバイル端末１０１にて入力された帳票画像作成用の入力データを組み込むテンプレートデータファイルである。帳票テンプレートデータは、作成する帳票の書式に合わせて事前に登録されているものとする。
【００１４】
モバイル端末１０１は、モバイル端末１０１の記憶装置（図示せず）に導入された帳票画像作成アプリケーションにより実現される帳票画像作成処理部１０５を備えている。帳票画像作成処理部１０５の有する各機能（モジュール）は、モバイル端末１０１の搭載するＣＰＵが帳票画像作成アプリケーションをメモリに読み込み実行することにより実現される。
【００１５】
また、モバイル端末１０１は、電子透かし付き帳票を撮影するためのカメラ（図示せず）を搭載している。
【００１６】
帳票画像作成処理部１０５は、透かし情報アクセスモジュール１０６、外部通信モジュール１０７、画像処理モジュール１０８、帳票情報制御モジュール１０９で構成されている。帳票画像１１０は、帳票画像作成処理部１０５により制御される記憶装置（図示せず）に保存される。
【００１７】
透かし情報アクセスモジュール１０６は、カメラで撮影して取得した電子透かし付き帳票画像から電子透かしを抽出する機能と、帳票データに電子透かしを埋め込んで電子透かし付き帳票データ（バイナリデータ）を作成する機能とを提供する。
外部通信モジュール１０７は、モバイル端末１０１とサーバ１０２とのデータの送受信を行うための機能を提供する。
画像処理モジュール１０８は、カメラを使って帳票を撮影して帳票画像を取得する機能と、電子透かし付き帳票データ（バイナリデータ）を画像データである電子透かし付き帳票画像に変換する機能を提供する。
帳票情報制御モジュール１０９は、サーバ１０２の帳票テンプレート/帳票情報管理ＤＢ１０３からＸＭＬ形式で取得した帳票テンプレートデータを用いて、モバイル端末１０１に入力された入力データに書式情報を付加することにより、レイアウトされた帳票の形式をもつ帳票データを作成する機能を提供する。
【００１８】
帳票画像１１０は、帳票画像作成処理部１０５の各モジュールの機能によって作成される。新たな帳票画像１１０を作成する際、帳票画像作成処理部１０５は、利用者が入力した帳票画像作成用の入力データと帳票テンプレートグループ名とを基に外部通信モジュール１０７を用いてネットワーク１０４を介しサーバ１０２の帳票テンプレート/帳票情報管理ＤＢ１０３から帳票テンプレートデータを取得する。次に、帳票情報制御モジュール１０９を用いて、取得した帳票テンプレートデータと入力データを合成して帳票データを作成する。続いて、透かし情報アクセスモジュール１０６を用いて帳票データに電子透かしを埋め込み電子透かし付き帳票データを作成する。最後に、画像処理モジュール１０８を用いて電子透かし付き帳票データから電子透かし付き帳票画像を作成する。
【００１９】
図２は、サーバ１０２の帳票テンプレート/帳票情報管理ＤＢ１０３が保有する帳票テンプレートグループ管理テーブル２００の一例を示す構成図である。
帳票テンプレートグループ管理テーブル２００には、帳票テンプレートグループＩＤ２０１と、帳票テンプレートグループ名２０２の２つの情報が格納されている。帳票テンプレートグループＩＤ２０１は、帳票テンプレートグループごとに固有の識別情報である。帳票テンプレートグループＩＤ２０１は、任意の文字を最大２５６桁指定可能である。帳票テンプレートグループ名２０２も任意の文字を最大２５６桁指定可能になっており、指定可能な範囲内であれば任意の帳票テンプレートグループ名２０２を設定できる。これら２つの情報は、本システムの運用にあたり予め登録されている。
【００２０】
なお、図２に示す帳票テンプレートグループＩＤ２０１及び帳票テンプレートグループ名は、いずれも１つの帳票テンプレートデータを固有に識別する情報（「帳票テンプレート識別情報」と称する）であり、いずれも図４に示す帳票テンプレートデータの１つと一意に対応するものである。
【００２１】
図３は、サーバ１０２の帳票テンプレート/帳票情報管理ＤＢが保有する帳票テンプレートグループ−帳票ＩＤ対応表２０３の一例を示す構成図である。
帳票テンプレートグループ−帳票テンプレート対応表２０３には、帳票テンプレートグループＩＤ２０１と、帳票ＩＤ２０４の２つの情報が格納される。帳票ＩＤ２０４は、モバイル端末１０１で作成される電子透かし付き帳票データごとに固有の識別情報である。帳票ＩＤ２０４は、任意の整数で最大８桁指定可能になっている。本システムの運用中、モバイル端末１０１から特定の帳票テンプレートグループＩＤに対応する帳票テンプレートデータが要求されたときに、新たな帳票ＩＤ２０４が発行され、この対応表２０３に格納される。よって、１つの帳票テンプレートグループＩＤに対して１又は複数の帳票ＩＤ２０４が対応することとなる。
【００２２】
図４は、サーバ１０２の帳票テンプレート/帳票情報管理ＤＢ１０３が保有する帳票テンプレート管理テーブル２０５の一例を示す構成図である。
帳票テンプレート管理テーブル２０５には、帳票テンプレートグループＩＤ２０１と、帳票テンプレートデータ(ＸＭＬ)２０６の２つの情報が格納されている。帳票テンプレートデータ(ＸＭＬ)２０６はＸＭＬ形式となっており、具体的には帳票テンプレートデータ(ＸＭＬ)詳細２０７のような内容となっている。例えば、氏名、住所、電話番号等の帳票に含まれる各項目を含む。帳票テンプレートデータの記述はＸＭＬ形式で行い、ルートタグを示すcontent、文字列を表示するtextview、画像を表示するimageview、テーブルを形成するtable、tr、td、水平罫線を表すhr、改行を表すvspace等のタグを使用して構成される。帳票テンプレートデータ(ＸＭＬ)２０６は、本システムの運用にあたり予め登録されている。
【００２３】
図５は、サーバ１０２の帳票テンプレート/帳票情報管理ＤＢ１０３が保有する帳票情報管理テーブル２０８の一例を示す構成図である。
帳票情報管理テーブル２０８には、帳票ＩＤ２０４、帳票テンプレートグループＩＤ２０１、入力データ２０９、帳票テンプレートデータ(ＸＭＬ)２０６の４つの情報が格納されている。本システムの運用中、モバイル端末１０１から帳票テンプレートデータが要求され、新たな帳票ＩＤが発行されたときに関連情報がこのテーブル２０８に格納される。入力データ２０９は、モバイル端末１０１で入力された入力データをテキスト形式に変換したものである。
【００２４】
図６は、新規帳票画像作成処理の一例を示すフローチャートである。また、図７は、新規帳票画像作成処理の一例を示すシーケンス図である。以下の説明では、図１〜図５で用いた符号を参照する場合がある。
【００２５】
利用者がモバイル端末１０１の帳票画像作成アプリケーションを起動しログインする（７０１）。続いて、帳票の基となる入力データが入力された後、帳票情報制御モジュール１０９が入力データをテキスト形式に変換する（６０１、７０１、７０２）。入力データを変換後、外部通信モジュール１０７がネットワーク１０４を介し、サーバ１０２に帳票テンプレートグループ名と入力データをＳＳＬ等によって暗号化して送信する（６０２、７０３）。外部通信モジュール１０７がサーバ１０２への送信に失敗した場合、モバイル端末１０１上で「帳票データの送信に失敗しました。」と利用者に通知する。
【００２６】
サーバ１０２では、図２の帳票テンプレートグループ管理テーブル２００を検索することにより、モバイル端末１０１から送られてきた帳票テンプレートグループ名２０２に対応する帳票テンプレートグループＩＤ２０１を取得する。テーブル２００から帳票テンプレートグループＩＤ２０１を見出せたならば、新たな固有の帳票ＩＤ２０４を発行し、図３の帳票テンプレートグループ−帳票対応表２０３に格納する（７０４）。
【００２７】
モバイル端末１０１から送られてきた帳票テンプレートグループ名２０２に対応する帳票テンプレートグループＩＤ２０１を帳票テンプレートグループ管理テーブル２００内に見出せなければ、モバイル端末１０１の利用者から未定義の帳票テンプレートグループが送信されたものとみなす。この場合、サーバ１０２から帳票テンプレート情報の取得に失敗した旨をモバイル端末１０１に送信し、モバイル端末１０１で「帳票テンプレートが見つかりませんでした。再度入力し直して下さい。」と表示して利用者に再度の入力を促す通知をする（６０３）。
【００２８】
サーバ１０２では、帳票テンプレートグループＩＤ２０１を帳票テンプレートグループ管理テーブル２００内で見出せたならば、図４の帳票テンプレート管理テーブル２０５から帳票テンプレートグループＩＤ２０１に対応する帳票テンプレートデータ(ＸＭＬ)２０６を取得する（７０４）。その後、発行した帳票ＩＤ２０４と、帳票テンプレートグループＩＤ２０１と、入力データ２０９と、取得した帳票テンプレートデータ(ＸＭＬ)２０６とを帳票情報管理テーブル２０８に格納する（７０５）。それと共に、サーバ１０２で発行された帳票ＩＤ２０４と、取得した帳票テンプレートデータ(ＸＭＬ)２０６とを、サーバ１０２からモバイル端末１０１に送信する（７０６）。
【００２９】
モバイル端末１０１では、サーバ１０２から帳票ＩＤ２０４と帳票テンプレートデータ(ＸＭＬ)２０６を受信した後、帳票情報制御モジュール１０９が、帳票テンプレートデータ(ＸＭＬ)２０６に入力データを合成して帳票データを作成する（６０４、７０７）。その後、透かし情報アクセスモジュール１０６が、作成した帳票データに帳票ＩＤ２０４を電子透かしとして埋め込み、電子透かし付き帳票データを作成する（６０５、７０８）。
【００３０】
さらに、画像処理モジュール１０８が、バイナリデータである電子透かし付き帳票データから、画像データである電子透かし付き帳票画像を作成する。画像処理モジュール１０８により表示出力される帳票画像は、白黒の二値画像であり、背景部分は白色、文字部分は黒色とする。画像処理モジュール１０８は、電子透かしの埋め込みを帳票画像全体に対して行う。帳票ＩＤ２０４は、帳票画像の背景画像として使用可能な画像ファイルに変換される。画像処理モジュール１０８には予め複数のパターンの背景画像が用意されており、モバイル端末１０１で帳票ＩＤ２０４を変換する際に任意の背景画像を指定することができる。帳票ＩＤ２０４を背景画像に変換するには、画像に画像を埋め込む電子透かし技術を用いる。この技術は、公知技術でありすでに慣用されている。
【００３１】
図８は、照合用帳票画像作成処理の一例を示すフローチャートである。また、図９は、照合用帳票画像作成処理の一例を示すシーケンス図である。
【００３２】
利用者が印刷された帳票が本物か否かを照合する場合、まず、モバイル端末１０１に備え付けられているカメラで紙媒体の帳票を撮影し、モバイル端末１０１内の記憶装置にカメラで撮影した帳票画像を格納する（８０１、９０１）。次に、画像処理モジュール１０８が、記憶装置に格納した帳票画像から、電子透かしとして埋め込まれている帳票ＩＤ(背景画像)を取得する。背景画像の取得は、電子透かし付き帳票画像から、色の濃さの違いとＯＣＲの技術を用いて線や文字といった情報を取り除くことによって行う。さらに、取得した背景画像を、公知技術である電子透かし技術を用いて帳票ＩＤに変換する（８０２、９０２）。この帳票ＩＤが、照合用の帳票ＩＤとなる。
【００３３】
透かし情報アクセスモジュール１０６が照合用の帳票ＩＤを取得後、外部通信モジュール１０７を用いてネットワーク１０４を介し、サーバ１０２に照合用の帳票ＩＤをＳＳＬ等によって暗号化して送信する（９０３）。外部通信モジュール１０７がサーバ１０２への送信に失敗した場合、モバイル端末１０１上で「透かし情報の送信に失敗しました。」と利用者に通知する。
【００３４】
サーバ１０２では、モバイル端末１０１から受信した照合用の帳票ＩＤに基づいて帳票テンプレート/帳票情報管理ＤＢ１０３の帳票情報管理テーブル２０８を検索する。検索の結果、モバイル端末１０１から送信されてきた照合用の帳票ＩＤに合致する帳票ＩＤ２０４を見出したならば、帳票情報管理テーブル２０８から対応する入力データ２０９と帳票テンプレートデータ（ＸＭＬ）２０６とを取得する（９０４）。続いて、取得した入力データ２０９と帳票テンプレートデータ（ＸＭＬ）２０６をサーバ１０２からモバイル端末１０１に送信する（９０５）。
【００３５】
モバイル端末１０１で、サーバ１０２から送信された入力データ２０９と帳票テンプレートデータ（ＸＭＬ）２０６を無事に受信できれば、カメラで撮影した帳票画像から電子透かしの取得に成功したことになる（８０３）。
【００３６】
カメラで撮影して取得した帳票画像から、電子透かしとして埋め込まれている帳票ＩＤの取得に失敗した場合、原因として、撮影した範囲に電子透かしが収まっていなかった、又は、帳票が第三者に改ざんされている可能性があると推測できる。しかし、利用者がたまたま帳票をカメラでうまく撮影できなかった場合も考えられるため、最初から帳票が改ざんされている可能性があるという旨は通知しない。具体的には、モバイル端末１０１上で「透かし情報の照合に失敗しました。再度帳票を撮影して下さい。」と表示し、再度カメラで帳票を撮影するよう利用者に通知する（８０３）。
【００３７】
もしも、５回連続してカメラで撮影した帳票の帳票画像から電子透かし情報の取得に失敗した場合、帳票画像に埋め込まれた電子透かしが、何らかの原因で取得できなくなっていると推測できる。その場合は、モバイル端末１０１上で「該当する帳票情報が見つかりませんでした。もう一度帳票を作成しなおして下さい。」と表示し、利用者に帳票が改ざんされている可能性がある旨を通知する（８０４）。
【００３８】
カメラで撮影した帳票の帳票画像から照合用の帳票ＩＤの取得に成功した場合、モバイル端末１０１は、サーバ１０２から対応する入力データ２０９と帳票テンプレートデータ（ＸＭＬ）２０６を取得できているといえる。また、サーバ１０２からのデータの取得に成功したことにより実際に使用されている背景画像の形式を特定できたことになる。
【００３９】
モバイル端末１０１は、カメラで撮影した帳票の帳票画像から取得した照合用の帳票ＩＤと、背景画像の形式と、サーバ１０２から取得した入力データ２０９及び帳票テンプレートデータ（ＸＭＬ）２０６とを画像処理モジュール１０８に情報として与える。画像処理モジュール１０８は、まず入力データ２０９及び帳票テンプレートデータ（ＸＭＬ）２０６を用いて電子透かし埋め込み前の帳票データを作成した後、帳票画像を作成する（８０５、９０６）。
【００４０】
次に画像処理モジュール１０８は、カメラで撮影した帳票画像から取得した照合用の帳票ＩＤと背景画像の形式を基に、照合用の帳票ＩＤを背景画像に変換する。背景画像作成完了後、電子透かし埋め込み前の帳票画像に背景画像を合成することにより、照合用の帳票画像を作成する（８０６、９０７）。続いて、モバイル端末１０１の画像ビューア機能を用いて照合用の帳票画像をモバイル端末１０１上に表示する。
【００４１】
利用者は、モバイル端末１０１に表示された照合用の帳票画像と、改ざんの可能性を疑っている手元の帳票とを目視で比較して確認し、手元の帳票が不正に改ざんされていないことを確認する。
【００４２】
目視で確認する意図は、モバイル端末１０１に表示された照合用の帳票画像と手元にある帳票が完全に同一である必要がない場合を配慮したものである。モバイル端末１０１に表示された照合用の帳票画像には汚れや折れ等は存在しない。しかし、帳票は紙媒体であることが多いため、不正に改ざんを行っていない場合であっても意図せず汚れや折れが発生する場合があり、改ざんと判断されてしまう可能性がある。また、帳票に署名やメモ等を意図的に書き込んでいた場合も、不正な改ざんではない。従って、これらの意図しない汚れ、折れや意図的におこなった署名、メモ等は、帳票の改ざんと判断するべきではない。上記の理由により、モバイル端末１０１に表示された照合用の帳票画像と手元にある帳票は、目視で確認することとしている。
【符号の説明】
【００４３】
１０１…モバイル端末、１０２…サーバ、１０３…帳票テンプレート/帳票情報管理ＤＢ、１０４…ネットワーク、１０５…帳票画像作成処理部、１０６…透かし情報アクセスモジュール、１０７…外部通信モジュール、１０８…画像処理モジュール、１０９…帳票情報制御モジュール、１１０…帳票画像、２００…帳票テンプレートグループ管理テーブル、２０１…帳票テンプレートグループＩＤ、２０２…帳票テンプレートグループ名、２０３…帳票テンプレートグループ-帳票対応表、２０４…帳票ＩＤ、２０５…帳票テンプレート管理テーブル、２０６…帳票テンプレートデータ(ＸＭＬ)、２０７…帳票テンプレートデータ(ＸＭＬ)詳細、２０８…帳票情報管理テーブル、２０９…入力データ
【図１】
2013201485.tif 000003
【図２】
2013201485.tif 000004
【図３】
2013201485.tif 000005
【図４】
2013201485.tif 000006
【図５】
2013201485.tif 000007
【図６】
2013201485.tif 000008
【図７】
2013201485.tif 000009
【図８】
2013201485.tif 000010
【図９】
2013201485.tif 000011